(57)【要約】      （修正有）【課題】強固で、かつ、切り離しがスムーズになされる切り離し構造を持つ開封型封筒を提供する。【解決手段】複数の切り目１０が切り離し方向に沿って配置されて構成される開封ラインを備える開封型封筒において、開封ラインの破り方向において前段に位置する切り目１０ａの終端１２の延長線上に後段の切り目１０ｂの途中部分１４が位置する。【選択図】図３
0003160940.tif 000002
【実用新案登録請求の範囲】
【請求項１】
複数の切り目が切り離し方向に沿って配置されて構成される開封ラインを備える開封型封筒において、
前記開封ラインの破り方向において前段に位置する前記切り目の終端の延長線上に後段の前記切り目の途中部分が位置することを特徴とする開封型封筒。
【請求項２】
複数の切り目が切り離し方向に沿って配置されて構成される窓切り取りラインを備える窓付き型封筒において、
前記窓切り取りラインの破り方向において前段に位置する前記切り目の終端の延長線上に後段の前記切り目の途中部分が位置することを特徴とする窓付き型封筒。
【請求項３】
複数の切り目が切り離し方向に沿って配置されて構成される窓切り取り開封ラインを備える窓付き開封型封筒において、
前記窓切り取り開封ラインの破り方向において前段に位置する前記切り目の終端の延長線上に後段の前記切り目の途中部分が位置することを特徴とする窓付き開封型封筒。
【考案の詳細な説明】
【技術分野】
【０００１】  この考案は、開封型封筒、窓付き型封筒及び窓付き開封型封筒の切り離し構造に関する。
【背景技術】
【０００２】  封筒としてミシン目よりなる開封部を備えるものがある。そのミシン目は切り目が切り離し方向に沿って直線状に所定の間隔をおいて設けられており、その間隔は切り離しが容易になされるようにきわめて小さくされている。したがって、何かの外力がかかることでミシン目部分が破損しやすいという基本的な問題がある。とくに封筒は郵便局等において自動選別機のローラーに通されてその処理がなされるが、その際にかかる押圧力や引張り力によりその切り目の間部分が破れてしまう問題が発生しており、これが、開封型封筒の普及の妨げとなっている。また、最近では透明窓部分をミシン目により切り離してそこにある透明シートを取り除くことで封筒のリサイクル使用が可能な窓付き封筒も提供されているが、その普及も上記と同様の理由により妨げられている。
【考案の概要】
【考案が解決しようとする課題】
【０００３】  この考案は上記の事情に鑑みて行ったもので、強固で、かつ、切り離しがスムーズになされる切り離し構造を持つ開封型封筒等を提供することを目的とする。
【課題を解決するための手段】
【０００４】  請求項１の考案では、複数の切り目が切り離し方向に沿って配置されて構成される開封ラインを備える開封型封筒において、前記窓切り取り開封ラインの破り方向において前段に位置する前記切り目の終端の延長線上に後段の前記切り目の途中部分が位置する構成とする。【０００５】  上記構成によれば、開封ラインにおいて切り離しの力が働くことで、前段の切り目の終端が切り裂かれて後段の切り目に至り、その後段の切り目の終端がさらに切り裂かれて次段の切り目に至り、順次切り目に沿って切り離されていく。前段の切り目の終端の延長線上に後段の切り目の途中部分が位置するので、その前段と後段の切り目の間部分の強度が大きくなって破損しにくい。従来のように前段と後段の切り目が直線状に位置してその端部どうしが相対する場合には、その間部分の強度は小さく破損の恐れがある。【０００６】  請求項２の考案では、複数の切り目が切り離し方向に沿って配置されて構成される窓切り取りラインを備える窓付き型封筒において、前記窓切り取りラインの破り方向において前段に位置する前記切り目の終端の延長線上に後段の前記切り目の途中部分が位置する構成とする。【０００７】  上記構成によれば、窓切り取りラインにおいて切り離しの力が働くことで、前段の切り目の終端が切り裂かれて後段の切り目に至り、その後段の切り目の終端がさらに切り裂かれて次段の切り目に至り、順次切り目に沿って切り離されていく。前段の切り目の終端の延長線上に後段の切り目の途中部分が位置するので、その前段と後段の切り目の間部分の強度が大きくなって破損しにくい。従来のように前段と後段の切り目が直線状に位置してその端部どうしが相対する場合には、その間部分の強度は小さく破損の恐れがある。【０００８】  請求項３の考案では、複数の切り目が切り離し方向に沿って配置されて構成される窓切り取り開封ラインを備える窓付き開封型封筒において、前記窓切り取り開封ラインの破り方向において前段に位置する前記切り目の終端の延長線上に後段の前記切り目の途中部分が位置する構成とする。【０００９】  上記構成によれば、窓切り取り開封ラインにおいて切り離しの力が働くことで、前段の切り目の終端が切り裂かれて後段の切り目に至り、その後段の切り目の終端がさらに切り裂かれて次段の切り目に至り、順次切り目に沿って切り離されていく。前段の切り目の終端の延長線上に後段の切り目の途中部分が位置するので、その前段と後段の切り目の間部分の強度が大きくなって破損しにくい。従来のように前段と後段の切り目が直線状に位置してその端部どうしが相対する場合には、その間部分の強度は小さく破損の恐れがある。
【考案の効果】
【００１０】  この考案によれば、郵便局等において自動選別機のローラーに通されてその処理がなされた際にその切り離しラインが破損することがない開封型封筒、窓付き封筒及び窓付き開封型封筒が得られる。
【図面の簡単な説明】
【００１１】
【図１】  窓付き開封型封筒の正面図
【図２】  窓付き開封型封筒の展開図
【図３】  窓切り取り開封ラインＲを構成する切り目の配置構成図
【図４】  窓切り取り開封ラインＲを構成する切り目の配置構成図
【図５】  開封動作説明図
【図６】  開封時の封筒の正面図
【考案を実施するための形態】
【００１２】  図１は窓付き開封型封筒（請求項１、請求項２、請求項３の考案）の正面図、図２は同展開図である。窓付き開封型封筒１は表面部２と裏面部３とが折り重ねられ、側部６、６が両側から貼り付け固定されて構成されている。表面部２の一方側上部に内面側に透明シート４が貼られた窓部５を備え、その窓部５を一体に切り離すように窓切り取り開封ラインＲが形成されている。窓切り取り開封ラインＲの一部は蓋片７に位置し、そこには半円形の指掛け部９が切り込み形成されている。上記窓切り取り開封ラインＲのＡ、Ｂ、Ｃ、Ｄ部分とＥ、Ｆ部分とはその窓切り取り開封ラインＲを構成する切り目１０の長さ構成が異なっている。
【００１３】  図３は上記Ａ、Ｂ、Ｃ、Ｄ部分の切り目の配置構成を示し、切り目１０それぞれは３ｍｍの同長さで、切り目の一つおきのものそれぞれが互いに略平行に位置している。また、切り離し方向Ｘにおいて前後する２個の切り目１０ａ、１０ｂおいて、切り目１０ａの終端１２の延長線上に後段の切り目１０ｂの途中部分１４が位置し、かつ、前段の切り目１０ａと後段の切り目１０ｂとが互いに相対する側において５０度の仮想交差角Ｙを持つように配置されている。上記切り目１０ａの終端１２と後段の切り目１０ｂの途中部分１４との間隔は０．８ｍｍとされている。図４は上記Ｅ、Ｆ部分の切り目１０の配置構成を示し、切り目１０それぞれは４ｍｍと２ｍｍのものが交互に、その他は上記と同様にして配置されている。
【００１４】  以下、上記窓付き開封型封筒１の開封動作を説明する。まず、裏側上部に位置する蓋片７の指掛け部９を起し持って表面部２の上縁２０側に引くことで窓切り取り開封ラインＲのＤ、Ｆ部分を切り離し、図５に示すように、３角状の引っ張り片２１を立ち上げ、その引っ張り片２１を左方向に引くことでＡ、Ｅ、Ｂ部分を切り離して一方の側縁２３の位置まで開き、その開いたものを上縁２０側に引くことでＣ部分を切り離して切り取り部３０の全体を切り取り、図６に示すように、開封する。
【００１５】  上記の開封に際し、窓切り取り開封ラインＲにおいて引っ張りによる切り離しの力が働くことで、図３において、前段切り目１０ａの終端１２が切り裂かれて後段の切り目１０ｂの途中部分１４に至り、その後段の切り目１０ｂの終端１２がさらに切り裂かれて次段の切り目１０の途中部分１４に至り、このようにして、切り目１０それぞれに沿って順次切り離されていく。窓切り取り開封ラインＲのＡ、Ｂ、Ｃ、Ｄ部分においてはその切り離し方向に沿って切り離しの力がかかるが、Ｅの部分においては側方、Ｆの部分においては下方とそれぞれ切り離し方向と斜めとなる方向において力がかかる。したがって、Ｅの部分においては下方に向く側の切り目１０を長くし、Ｆの部分においては側方に向く側の切り目１０を長くし、その長くした切り目１０それぞれに沿って切り離し力が働くようにして、その切り離し力が斜めの方向にかかる力に抗することで窓切り取り開封ラインＲに沿ってスムーズな切り離しが行われるようにしている。
【００１６】  上記のように切り取り部３０が除去され開封されることで内部の送付書類が取り出せ、また、残った封筒４０は透明シート４が貼られた窓部５が無いことでそのままリサイクル使用することが可能となる。くわえて、切り取り部３０を表面部２の一方側において切り取る形とすることで、残った封筒４０は切り取り部３０が除去された逆側が送付書類の収納ポケット５０として利用でき、これにより送られてきた送付書類をそのまま収納するように使用できる。
【符号の説明】
【００１７】１  窓付き開封型封筒
２  表面部
３  裏面部
４  透明シート
５  窓部
１０  切り目
１０ａ  切り目
１０ｂ  切り目
１２  終端
１４  途中部分
Ｒ  窓切り取り開封ライン
【図１】
0003160940.tif 000003
【図２】
0003160940.tif 000004
【図３】
0003160940.tif 000005
【図４】
0003160940.tif 000006
【図５】
0003160940.tif 000007
【図６】
0003160940.tif 000008